(57)【特許請求の範囲】
【請求項１】
熱交換素子を積層した熱交換ユニットを略箱形状の外郭内に複数有し、前記熱交換ユニットは、対向する積層方向の２面を吸込面、吹出面とした給気風路と、対向する積層方向の他の２面を吸込面、吹出面とした排気風路を有し、
これら４面の吸込面、吹出面で形成する境界部分のうち、対向する２つの境界部分を接触部として、この接触部同士が接触するように複数個の前記熱交換ユニットを複数段積み上げ、
前記接触部以外の吸込面、吹出面で形成する境界部分を稜線部とし、
前記接触部と前記外郭を結ぶ位置に熱交換ユニット仕切板を設け前記熱交換ユニットを仕切るとともに、
前記熱交換ユニットのそれぞれの前記稜線部と前記外郭を結ぶ風路仕切板を設け、給気風路および排気風路を仕切る構成とし、
前記外郭を形成する面のうち、前記稜線部と対向する少なくとも１つの面を点検カバーとして、
前記風路仕切板と前記熱交換ユニット仕切板と前記点検カバーとを一体に形成した熱交換モジュール。
【請求項２】
対向流型熱交換素子を積層した熱交換ユニットを使用した請求項１記載の熱交換モジュール。
【請求項３】
箱形状本体の一面に室外側排気口と室外側給気口を設け、一側面に室内側排気口と室内側給気口を設け、前記箱形状本体の内部に請求項１または２記載の熱交換モジュールを備え、前記熱交換モジュールの風上側に風上側排気室および風上側給気室と風下側に風下側排気室および風下側給気室を備え、前記熱交換モジュールの側方に前記室外側排気口の吹出し側に向けて排気送風機を設け、この排気送風機の下方に吹出し口を下に向けて給気送風機を有し、この給気送風機の下方に整流給気チャンバーを備え、この整流給気チャンバーの下流側に加湿器等の空気質加工部材を設けた熱交換モジュールの応用装置。
【請求項４】
上フレームと下フレームを上下に分割する構成の箱形状本体であって、上フレームと下フレーム分割時に上フレームの底面となる上フレーム底板を設け、前記上フレーム底板の両端部の断面を略コの字形状とした請求項３記載の応用装置。
【請求項５】
下フレームに下フレーム天板を設けた請求項３記載の応用装置。
【請求項６】
送風機取り付け板に送風機固定板と一体となった排気送風機および給気
送風機の位置決め用の略Ｌ字型金具を設けた請求項３記載の応用装置。
【発明の詳細な説明】
【０００１】
【発明の属する技術分野】
本発明は給気流と排気流の間で熱交換しながら換気を行う熱交換モジュールとその応用装置に関する。
【０００２】
【従来の技術】
従来、この種の空調換気装置は、特開平６−１０９２８０号公報に記載されたものが知られている。
【０００３】
以下、その空調換気装置について図１３を参照しながら説明する。
【０００４】
図に示すように、熱交換室１０１には横並びの並列関係に複数の熱交換ユニット１０２が設けられていた。
【０００５】
そして、給気送風機１０３の吹出口直後に加湿器１０４が設けられていた。
【０００６】
【発明が解決しようとする課題】
このような従来の空調換気装置では、熱交換能力を増加させると熱交換ユニット１０２自体を大きくするので、空調換気装置の巾寸法が大きくなり、設置床面積が大きくなりがちであるため、省設置スペース化が要求されている。
【０００７】
また、省設置スペース化するため、給気送風機１０３の吹出口直後に動圧を静圧にするための整流チャンバーを設けるスペースが取り難い場合があり、整流された空気を加湿器１０４に送り込むことが要求されている。
【０００８】
本発明は、このような従来の課題を解決するものであり、省設置スペース化が
できる熱交換モジュールとその応用装置を提供することを目的としている。
【０００９】
また、整流された空気を加湿器１０４に送り込むことができる応用装置を提供することを目的としている。
【００１０】
また、メンテナンスし易く、安全性の高い熱交換モジュールとその応用装置を提供することを目的としている。
【００１１】
【課題を解決するための手段】
上記課題を達成するための本発明の熱交換モジュールの一つの手段は、熱交換素子を積層した熱交換ユニットを略箱形状の外郭内に複数有し、前記熱交換ユニットは、対向する積層方向の２面を吸込面、吹出面とした給気風路と、対向する積層方向の他の２面を吸込面、吹出面とした排気風路を有し、これら４面の吸込面、吹出面で形成する境界部分のうち、対向する２つの境界部分を接触部として、この接触部同士が接触するように複数個の前記熱交換ユニットを複数段積み上げ、前記接触部以外の吸込面、吹出面で形成する境界部分を稜線部とし、前記接触部と前記外郭を結ぶ位置に熱交換ユニット仕切板を設け前記熱交換ユニットを仕切るとともに、前記熱交換ユニットのそれぞれの前記稜線部と前記外郭を結ぶ風路仕切板を設け、給気風路および排気風路を仕切る構成とし、前記外郭を形成する面のうち、前記稜線部と対向する少なくとも１つの面を点検カバーとして、前記風路仕切板と前記熱交換ユニット仕切板と前記点検カバーとを一体に形成したものである。
【００１２】
本発明によれば、熱交換ユニットの個数を変更することで熱交換能力の増減に容易に対応できる熱交換モジュールが得られ、さらに高さ以外はコンパクトにできるため、省設置スペース化ができる熱交換モジュールが得られる。
また、点検カバーをはずすだけで熱交換ユニットが取り出せるので、メンテナンスを容易にできる熱交換モジュールが得られる。
【００１３】
また、他の手段は、熱交換ユニットとして対向流素子を使用した構成としたものである。
【００１４】
本発明によれば、対向流型熱交換ユニットの上下が面となっているため熱交換ユニットを安定した状態で積み上げることができ、さらに高さを低くできる熱交換モジュールが得られる。
【００１７】
また、他の手段は、箱形状本体の一面に室外側排気口と室外側給気口を設け、一側面に室内側排気口と室内側給気口を設け、箱形状本体の内部に熱交換モジュールを備え、熱交換モジュールの風上側に風上側排気室および風上側給気室と風下側に風下側排気室および風下側給気室を備え、熱交換モジュールの側方に前記室外側排気口の吹出し側に向けて排気送風機を設け、排気送風機の下方に吹出し口を下に向けて給気送風機を有し、給気送風機の下方に整流給気チャンバーを備え、整流給気チャンバーの下流側に加湿器等の空気質加工部材を設けた構成としたものである。
【００１８】
本発明によれば、整流チャンバーを介した空気が加湿器に送り込まれるため、安定した加湿量を得ることができる熱交換モジュールの応用装置が得られる。
【００１９】
また、他の手段は、箱形状本体を上フレームと下フレーム分割時に上フレームの底面となる上フレーム底板の両端部の断面を略コの字形状とした構成としたものである。
【００２０】
本発明によれば、上フレーム底板の両端部が下フレームに嵌まり込むため、容易に上フレームと下フレームの位置決めができる応用装置が得られる。
【００２１】
また、他の手段は、下フレームに下フレーム天板を設けた構成としたものである。
【００２２】
本発明によれば、下フレームの強度が上がることで内部部品を取り出すことなく下フレームを吊り上げることができる応用装置が得られる。
【００２３】
また、他の手段は、送風機取り付け板に排気送風機および給気送風機の位置決め用の略Ｌ字型金具を設けた構成としたものである。
【００２４】
本発明によれば、略Ｌ字型金具に送風機を載せて位置決めができるので、送風機の脱着作業を容易にかつ安全に行うことができる応用装置が得られる。
【００２５】
【発明の実施の形態】
本発明の請求項１に記載の発明は、熱交換素子を積層した熱交換ユニットを略箱形状の外郭内に複数有し、前記熱交換ユニットは、対向する積層方向の２面を吸込面、吹出面とした給気風路と、対向する積層方向の他の２面を吸込面、吹出面とした排気風路を有し、これら４面の吸込面、吹出面で形成する境界部分のうち、対向する２つの境界部分を接触部として、この接触部同士が接触するように複数個の前記熱交換ユニットを複数段積み上げ、前記接触部以外の吸込面、吹出面で形成する境界部分を稜線部とし、前記接触部と前記外郭を結ぶ位置に熱交換ユニット仕切板を設け前記熱交換ユニットを仕切るとともに、前記熱交換ユニットのそれぞれの前記稜線部と前記外郭を結ぶ風路仕切板を設け、給気風路および排気風路を仕切る構成とし、前記外郭を形成する面のうち、前記稜線部と対向する少なくとも１つの面を点検カバーとして、前記風路仕切板と前記熱交換ユニット仕切板と前記点検カバーとを一体に形成したものであり、小型の熱交換ユニットを複数使用して巾寸法を抑えることで、省設置スペース化ができ、さらに熱交換ユニットの個数を変更することで能力の違いに対応することができるという作用を有する。
また、風路仕切板と熱交換モジュールの外郭を形成するフロントパネルとを一体とした点検カバーによって、メンテナンスが容易にできるという作用を有する。
また、対向流型熱交換素子を積層した熱交換ユニットを使用したものであり、素子を安定した状態で積み上げることができ、さらに熱交換モジュールの高さを低くすることができるという作用を有する。
【００２７】
また、箱形状本体の一面に室外側排気口と室外側給気口を設け、一側面に室内側排気口と室内側給気口を設け、前記箱形状本体の内部に熱交換モジュールを備え、前記熱交換モジュールの風上側に風上側排気室および風上側給気室と風下側に風下側排気室および風下側給気室を備え、前記熱交換モジュールの側方に前記室外側排気口の吹出し側に向けて排気送風機を設け、この排気送風機の下方に吹出し口を下に向けて給気送風機を有し、この給気送風機の下方に整流給気チャンバーを備え、この整流給気チャンバーの下流側に加湿器等の空気質加工部材を設けたものであり、安定した加湿量を得ることができるという作用を有する。
【００２８】
また、上フレームと下フレームを上下に分割する構成の箱形状本体であって、前記上フレームと下フレーム分割時に上フレームの底面となる上フレーム底板を設け、前記上フレーム底板の両端部の断面を略コの字形状としたものであり、上フレームを下フレームに取り付ける時の位置決めが容易にできるという作用を有する。
【００２９】
また、下フレームに下フレーム天板を設けたものであり、下フレームの強度が上がることで、内部部品を取り出すことなく下フレームを吊り上げることができるという作用を有する。
【００３０】
また、送風機取り付け板に送風機固定板と一体となった排気送風機および給気送風機の位置決め用の略Ｌ字型金具を設けたものであり、送風機の脱着作業を容易にかつ安全に行うことができるという作用を有する。
【００３１】
以下、本発明の実施例について図１〜図１２を参照しながら説明する。
【００３２】
（実施例１)
図１に示すように、熱交換モジュール１６は熱交換素子を積層した熱交換ユニット１を外郭４内で複数段積み上げ、個々の熱交換ユニット１相互の接触部と略箱形状に形成した外郭４を結ぶ位置に熱交換ユニット仕切板２を設け、熱交換ユニット１を仕切っている。また、熱交換ユニット１のそれぞれの稜線部３６と外郭４を結ぶ風路仕切板３を設け、給気風路および排気風路を仕切る構成とする。
【００３３】
上記構成において、小型の熱交換ユニット１を複数使用して巾寸法を抑えることで、省設置スペース化ができ、さらに熱交換ユニット１の個数を変更することで各種の熱交換能力の装置に対応することができるという作用を行うこととなる。
【００３４】
（実施例２）
図２に示すように、熱交換モジュール１６Ａは対向流型熱交換素子を積層した熱交換ユニット１Ａを外郭４内で複数段積み上げ、個々の熱交換ユニット１Ａ相互の接触部である面３７と外郭４を結ぶ位置に熱交換ユニット仕切板２を設け、熱交換ユニット１Ａを仕切っている。また、熱交換ユニット１Ａのそれぞれの稜線部３６と外郭４を結ぶ風路仕切板３を設け、給気風路および排気風路を仕切る構成とする。
【００３５】
上記構成において、面３７で積み重ねるため対向流型熱交換ユニット１Ａを安定した状態で積み上げることができ、さらに高さの低い対向流型の熱交換ユニット１Ａを使用するので熱交換モジュール１６Ａの高さを低くすることができるという作用を行うこととなる。
【００３６】
（実施例３）
図３および図４に示すように、熱交換ユニット仕切板２と風路仕切板３と熱交換モジュール１６Ａの外郭４を形成するフロントパネル７を一体とした点検カバー８を配設する。
【００３７】
上記構成において、点検カバー８をはずすだけで熱交換ユニット１Ａが取り出せるので容易にメンテナンスができるという作用を行うこととなる。
【００３８】
なお、本実施例では、熱交換モジュール１６Ａを用いて説明したが、熱交換モジュール１６であっても同様に実施可能である。
【００３９】
（実施例４）
図５に示すように、箱形状本体９の一面に室外側排気口１０と室外側給気口１１を設け、一側面に室内側排気口１２と室内側給気口１３を設け、箱形状本体９内部に熱交換モジュール１６Ａを備え、熱交換モジュール１６Ａの風上側に風上側排気室１７および風上側給気室１８と風下側に風下側排気室１９および風下側給気室２０を備え、熱交換モジュール１６Ａの側方に室外側排気口１０の吹出し側に向けて排気送風機１４を設け、この排気送風機１４の下方に吹出し口を下に向けて給気送風機１５を有し、この給気送風機１５の下方に整流給気チャンバー２５を備え、この整流給気チャンバー２５の下流側に加湿器２４を配設する。
【００４０】
図６は応用装置の箱形状本体の外観を示す斜視図で、５は応用装置の外郭である。
【００４１】
上記構成において、熱交換モジュール１６Ａを使用することで箱形状本体９内部スペースに余裕ができ、給気送風機１５と排気送風機１４を熱交換モジュール１６Ａの側方に備える構成が可能となる。そのため、従来給気送風機１５が設けられていた箇所に整流給気チャンバー２５が形成され、この整流給気チャンバー２５を介して空気を加湿器２４に送り込むため安定した加湿量を得ることができるという作用を行うこととなる。
【００４２】
なお、本実施例では、熱交換モジュール１６Ａを用いて説明したが、熱交換モジュール１６であっても同様に実施可能である。
【００４３】
また、応用装置の外郭５を、熱交換ユニット仕切板と風路仕切板と熱交換モジュール１６および熱交換モジュール１６Ａの外郭４を形成するフロントパネル７を一体とした点検カバー８と兼用しても、同一の作用効果があることは言うまでもない。
【００４４】
なお、本実施例では空気質加工部材を加湿器としたが、加湿器に限定されるものではない。
【００４５】
（実施例５）
図６および図７に示すように、箱形状本体９を上フレーム２１と下フレーム２２に分割する時に、上フレーム２１の底面となる上フレーム底板２３の両端部に断面が略コの字形状となる略コの字形状部３３を配設する。
【００４６】
上記構成において、上フレーム底板２３の両端部が略コの字形状であるため、上フレーム２１を下フレーム２２に取り付ける時、上フレーム底板２３の両端部が下フレーム２２に嵌まり込むことで、容易にかつ安全に上フレーム２１の位置決めができるという作用を行うこととなる。
【００４７】
（実施例６）
図８に示すように、下フレーム２２に下フレーム天板２６を配設する。
【００４８】
上記構成において、下フレーム２２の強度が上がることで内部部品を取り出すことなく下フレーム２２を吊り上げることができるという作用を行うこととなる。
【００４９】
（参考例）
図５および図９に示すように、風下側排気室１９および風下側給気室２０の入口開口部２７と出口開口部２８を相互に重なり合わない位置関係に配設する。
【００５０】
上記構成において、モーター異常時に万一発火状態になっても、その炎が伝播しにくいという作用を行うこととなる。
【００５１】
（実施例７）
図５および図１０に示すように、送風機取り付け板２９に送風機固定板３４と一体となった排気送風機１４および給気送風機１５の位置決め用の略Ｌ字型金具３０を配設する。
【００５２】
上記構成において、排気送風機１４および給気送風機１５と一体となった送風機固定板３４のフランジ部３５を位置決め用の略Ｌ字型金具３０に載せることにより容易に位置決めができる。
【００５３】
また、別の実施例としては、図１１のように略Ｌ字型金具３０を傾斜形状３１にしたり、図１２のように、略Ｌ字型金具３０に立ち上がり部３２を設けることにより送風機固定板３４のフランジ部３５の抜け防止効果も期待できるという作用を行うこととなる。
【００５４】
本発明は上記した実施例に限定されるものではない。
【００５５】
【発明の効果】
以上のように本発明によれば、小型の熱交換素子を使用することで巾寸法を抑えることができ、省設置スペース化ができ、熱交換ユニットの個数を変更することで各熱交換能力の応用装置に対応することができるという有利な効果が得られる。
【００５６】
また、本発明によれば、素子を安定した状態で積み上げることができ、さらに、熱交換モジュールの高さを低くすることができるという有利な効果が得られる。
【００５７】
また、本発明によれば、メンテナンスが容易にできるという有利な効果が得られる。
【００５８】
また、本発明によれば、安定した加湿量を得ることができるという有利な効果が得られる。
【００５９】
また、本発明によれば、容易に上フレームと下フレームの位置決めができるという有利な効果が得られる。
【００６０】
また、本発明によれば、内部部品を取り出すことなく下フレームを吊り上げることができるという有利な効果が得られる。
【００６１】
また、本発明によれば、モーターの脱着作業を容易にかつ安全に行うことができるという有利な効果が得られる。
【図面の簡単な説明】
【図１】  本発明の実施例１の熱交換モジュールの内部構成を示す平面図
【図２】  同実施例２の熱交換モジュールの内部構成を示す平面図
【図３】  同実施例３の点検カバーの外観を示す斜視図
【図４】  同実施例３の点検カバーの取り付け状態を示す平面図
【図５】  同実施例４、７および８の熱交換モジュールとその応用装置本体の内部構成を示す斜視図
【図６】  同実施例４および５の応用装置本体外観を示す斜視図
【図７】  同実施例５の上フレーム底板の取り付け状態を示す斜視図
【図８】  同実施例６の上フレームと下フレームの分割状態を示す斜視図
【図９】  同参考例の応用装置の風下側排気室の入口開口部と出口開口部の位置関係を示す斜視図
【図１０】  同実施例７の送風機位置決め用の略Ｌ字型金具の取付状態を示す斜視図
【図１１】  同送風機位置決め用の略Ｌ字型金具の傾斜形状を示す側面図
【図１２】  同送風機位置決め用の略Ｌ字型金具の外れ防止用の立上がり部を示す側面図
【図１３】  従来の空調換気装置の内部構成を示す平面図
【符号の説明】
１      熱交換ユニット
１Ａ    熱交換ユニット
２      熱交換ユニット仕切板
３      風路仕切板
４      外郭
７      フロントパネル
８      点検カバー
９      箱形状本体
１０    室外側排気口
１１    室外側給気口
１２    室内側排気口
１３    室内側給気口
１４    排気送風機
１５    給気送風機
１６    熱交換モジュール
１６Ａ  熱交換モジュール
１７    風上側排気室
１８    風上側給気室
１９    風下側排気室
２０    風下側給気室
２１    上フレーム
２２    下フレーム
２３    上フレーム底板
２４    加湿器
２５    整流給気チャンバー
２６    下フレーム天板
２７    入口開口部
２８    出口開口部
２９    送風機取り付け板
３０    略Ｌ字型金具
３３    略コの字形状部
３４    送風機固定板
３６    稜線部
【図１】
0004628510.tif 000002
【図２】
0004628510.tif 000003
【図３】
0004628510.tif 000004
【図４】
0004628510.tif 000005
【図５】
0004628510.tif 000006
【図６】
0004628510.tif 000007
【図７】
0004628510.tif 000008
【図８】
0004628510.tif 000009
【図９】
0004628510.tif 000010
【図１０】
0004628510.tif 000011
【図１１】
0004628510.tif 000012
【図１２】
0004628510.tif 000013
【図１３】
0004628510.tif 000014